(57)【要約】      （修正有）【課題】汗などの内部への浸入によって、緩衝力の劣化が起こりにくい運動用敷設板を提供する。【解決手段】運動時の衝撃力を緩和することは勿論、汗等の浸入による緩衝力の劣化がなく、美感を損なわないとともに、異音が発生せず、使い勝手の良い運動用敷設である。このため、基板２と、前記基板２の裏面周辺縁部に沿って設けた枠体３と、前記基板２の残る裏面に前記枠体３の下面から突出するように設置した緩衝材４と、で構成した。【選択図】図１
2011183111.tif 000002
【特許請求の範囲】
【請求項１】
基板と、前記基板の裏面周辺縁部に沿って設けた枠体と、前記基板の残る裏面に前記枠体の下面から突出するように設置した緩衝材と、からなることを特徴とする運動用敷設板。
【請求項２】
基板と緩衝材との間に、衝撃音低減材を積層一体化したことを特徴とする請求項１に記載の運動用敷設板。
【請求項３】
緩衝材が一様な厚さを有する板状材であることを特徴とする請求項１または２に記載の運動用敷設板。
【請求項４】
基板の曲げ弾性係数が２〜５ＧＰａで、緩衝材の圧縮硬さが４０〜１００ｋＰａであることを特徴とする請求項１ないし３のいずれか１項に記載の運動用敷設板。
【請求項５】
帯状の緩衝材を、所定のピッチで並設したことを特徴とする請求項１ないし４のいずれか１項に記載の運動用敷設板。
【請求項６】
矩形板状またはブロック状の緩衝材を、所定のピッチで設置したことを特徴とする請求項１ないし５のいずれか１項に記載の運動用敷設板。
【請求項７】
請求項１ないし６のいずれか１項に記載の運動用敷設板を相互に突き合わせ、下面縁部の対応する位置にそれぞれ設けた連結孔に、断面略コ字形状の連結具をそれぞれ嵌合して連結一体化したことを特徴とする運動用敷設板の連結構造。
【請求項８】
請求項１ないし７のいずれか１項に記載の運動用敷設板を相互に突き合わせ、下面縁部の対応する一方の角部に連結ピンを突設する一方、下面縁部の対応する他方の角部に前記連結ピンに係合する連結金具を回動可能に設けたことを特徴とする運動用敷設板の連結構造。
【発明の詳細な説明】
【技術分野】
【０００１】
本発明は、室内の床に敷設して使用される運動用敷設板に関する。
【背景技術】
【０００２】
従来、健康増進やダイエットのために室内で衝撃音が発生しうる運動を行う場合、運動時の安全性および衝撃力を考慮して床面に設置する器具が提案されている。例えば、弾性体と、この弾性体を全体的に覆う可撓性のカバー体とを備え、上記カバー体の少なくとも一部分を網体により形成したものが、健康増進具として提案されている（特許文献１参照）。
【０００３】
また、ジャンピングボードとして、なわとびや跳躍運動等を軽快に行うために彎曲変形する平板状のボードであって、該ボードは、可撓性の平板からなる上板と、該上板の下面に設けられ該上板を補強すると共に前記上板の彎曲剛性を高める弾性補強部材と、前記上板の両端縁に配設され床面等の上に前記上板を支持する適宜高さの緩衝支持脚と、該緩衝支持脚のうちの少なくとも一方側を前記上板の長手方向に沿って移動可能に保持する緩衝支持脚移動機構部とを設けたものが、提案されている（特許文献２参照）。
【先行技術文献】
【特許文献】
【０００４】
【特許文献１】特開２００９−８２１６３号公報
【特許文献２】特開２００１−３７９０７号公報
【発明の概要】
【発明が解決しようとする課題】
【０００５】
しかしながら、前記健康増進具では、通気性のある弾性体が隙間を有するので、空気だけでなく、汗等の水分も浸入しやすい。このため、汗等の弾性体内部への浸入によって緩衝力が容易に変化し、劣化が進行しやすい。
また、カバーにデザインが施されても、短期使用時には弾性体の変形に伴って前記カバーが変形するだけでなく、長期間の使用によって弾性体が劣化した場合には、前記カバーにも全体的に変形が生じ、美感が低下するという問題点がある。
【０００６】
一方、前記ジャンピングボードでは、運動の仕方によっては緩衝支持脚の傾斜面が床面を擦るので、異音が発生しやすい。また、体重に応じて緩衝支持脚を移動させて位置調整する必要があり、手間がかかるという問題点がある。
【０００７】
本願発明は、前記問題点に鑑み、運動時の衝撃力を緩和できることは勿論、汗等の浸入による緩衝力の劣化がなく、美感を損なわないとともに、異音が発生せず、使い勝手の良い運動用敷設板を提供すること課題とする。
【課題を解決するための手段】
【０００８】
本発明に係る運動用敷設板は、基板と、前記基板の裏面周辺縁部に沿って設けた枠体と、前記基板の残る裏面に前記枠体の下面から突出するように設置した緩衝材と、からなる構成としてある。
【発明の効果】
【０００９】
本発明によれば、人が基板の上で飛び跳ねても、緩衝材が圧縮変形することにより、衝撃力を吸収して床衝撃音を低減でき、汗等による劣化の心配もない。
また、基板の裏面周辺縁部に設けた枠体によって剛性が向上し、反り，捩れの発生を抑制し、美感を維持できるとともに、耐久性が向上する。特に、基板の裏面周辺縁部に枠体が設けられているので、基板の表面に化粧シートを貼着した場合であっても、シワ等が発生せず、美感への影響が小さい。
【００１０】
緩衝材は、枠体の下面から突出する高さ寸法を有しているので、設置床面と枠体との間に生じた隙間を介して手がかりとなり、設置や片づけを行う場合の移動が容易である。
また、緩衝材は基板の下面から露出しているので、外観を確認しやすく、緩衝材に劣化等の異常があれば、発見が容易であり、安全性が高い。
さらに、使用時においても、圧縮された緩衝材の下面を枠体の下面よりも低くなるように、すなわち、枠体の下面が設置床面から浮いた状態に配置してある。このため、使用時に枠体が設置床面に当接することがなく、枠体の変形，破壊を防止できるとともに、設置床面が傷付くことを防止できる。
そして、基板，枠体および緩衝材で構成された簡単な構造であるので、生産性が高い。特に、緩衝材が一様な厚さの板状体である場合には、枠体で囲まれた基板の裏面に嵌め込むだけでよく、取り付け，取り外しが容易であり、メンテナンス性においても優れている。
【００１１】
本発明の実施形態としては、基板と緩衝材との間に、衝撃音低減材を積層一体化しておいてもよい。
本実施形態によれば、運動時の衝撃音をより一層低減できる。
【００１２】
本発明の他の実施形態としては、緩衝材が一様な厚さを有する板状材であってもよい。特に、基板の曲げ弾性係数が２〜５ＧＰａで、緩衝材の圧縮硬さが４０〜１００ｋＰａであればよい。
本実施形態によれば、運動時の衝撃力を均一に緩和でき、メンテナンス性に優れた運動用敷設板が得られる。
【００１３】
本発明の他の実施形態としては、帯状の緩衝材を所定のピッチで並設してもよく、矩形板状、または、ブロック状の緩衝材を所定のピッチで、例えば、市松模様や千鳥状に設置してもよい。
本実施形態によれば、必要に応じて各種形状の緩衝材を適宜、設置することにより、所望の緩衝機能を有する運動用敷設板が得られる。
【００１４】
本発明に係る運動用敷設板の連結構造としては、前述の運動用敷設板を相互に突き合わせ、下面縁部の対応する位置にそれぞれ設けた連結孔に、断面略コ字形状の連結具をそれぞれ嵌合して連結一体化した構成としてある。
【００１５】
本発明によれば、前記連結具を介して必要な広さを有する運動用敷設板が得られる。
【００１６】
本発明に係る他の運動用敷設板の連結構造としては、前述の運動用敷設板を相互に突き合わせ、下面縁部の対応する一方の角部に連結ピンを突設する一方、下面縁部の対応する他方の角部に前記連結ピンに係合する連結金具を回動可能に設けた構成としてもよい。
【００１７】
本発明によれば、角部に配置した連結金具を操作することにより、必要な広さを有する運動用敷設板が得られるだけでなく、外部から連結ピンを操作できるので、連結，分解作業が容易な運動用敷設板を得られるという効果がある。
【図面の簡単な説明】
【００１８】
【図１】図１Ａ，１Ｂ，１Ｃは本願発明に係る運動用敷設板の第１実施形態を示す平面図、底面図および図１ＡのＣ−Ｃ線断面図である。
【図２】図２Ａ，２Ｂ，２Ｃ，２Ｄは本願発明に係る第２，３，４，５を示す底面図
【図３】図３Ａ，３Ｂは第６実施形態を示す底面図，図３ＡのＢ−Ｂ線断面図であり、図３Ｃは第７実施形態を示す底面図であり、図３Ｄ，３Ｅは第６，第７実施形態に使用される緩衝材を示す断面図である。
【図４】図４Ａ，４Ｂは第８，第９実施形態を示す底面図であり、図４Ｃ，４Ｄ，４Ｅは第８，第９実施形態に使用される緩衝材を示す正面図、側面図、底面図であり、図４Ｆは第８，第９実施形態に使用される他の緩衝材を示す斜視図である。
【図５】図５Ａ，５Ｂ，５Ｃは第１０実施形態を示す正面断面図，側面断面図、緩衝材の断面図である。
【図６】図６Ａ，６Ｂおよび図６Ｃ，６Ｄは本願発明に係る運動用敷設板の連結構造を示す連結前の部分底面図、部分断面図、および、連結後の部分底面図、部分断面図である。
【図７】図７Ａは運動用敷設板の連結構造に使用される連結金具を示す正面図、図７Ｂは連結前の部分底面図、図７Ｃ，７Ｄは連結後の部分底面図、部分側面図である。
【発明を実施するための形態】
【００１９】
本願発明に係る運動用敷設板の実施形態を図１ないし図７の添付図面に従って説明する。
すなわち、第１実施形態に係る運動用敷設板１は、図１に示すように、基板２と、前記基板２の裏面周辺縁部に沿って設けられる枠体３と、前記基板２の残る裏面に一体に配置され、かつ、前記枠体３の下面から突出する高さ寸法を有する緩衝材４と、で構成されている。
【００２０】
前記基板２は、その上面で飛び跳ねることができる強度および弾力性を有する硬質の板状材からなり、例えば、ＭＤＦ、ハードボード、合板等の木質板，樹脂板が挙げられる。より具体的には、曲げ弾性係数２〜５ＧＰａを有するものが好ましい。２ＧＰａ未満であると、強度が足りず、変形あるいは破壊してしまうからである。また、５ＧＰａを越えると、基板が弾性変形しにくく、衝撃吸収性が低下し、運動に適さない場合があるからである。なお、前記曲げ弾性係数とは、ＪＩＳＡ１４０８に準じて測定された値を意味する。
【００２１】
枠体３は、前記基板２の裏面周辺縁部に沿って設けられ、運動時の衝撃力による変形，破壊を防止するために必要な強度を付与する。枠体３の材質としては、例えば、ＭＤＦ，合板等の木質板、樹脂材、硬質ゴム材、金属等が挙げられ、中空であってもよく、内実であってもよい。また、枠体３の形状としては、例えば、帯状材、角材、円柱材、半円柱材が挙げられ、あるいは、これらを適宜組み合わせたものが挙げられる。さらに、枠体３は基板２と異なる材料で形成してもよく、あるいは、同一材料で形成してもよい。例えば、基板２と枠体３とを接着剤等で固着一体化してもよく、あるいは、樹脂を射出成形して基板２と枠体３とを一体成形してもよい。
【００２２】
緩衝材４は、基板の裏面に設置して衝撃力を吸収，緩和するためのものであり、接着剤、両面テープ、嵌め込み、あるいは、これらを併用することによって一体化できる。
特に、図１に図示した第１実施形態のように、緩衝材が板状の樹脂発泡材であれば、圧縮硬さが４０〜１００ｋＰａ、特に、５０〜６０ｋＰａの弾力性を有することが好ましい。４０ｋＰａ未満であると、柔らかすぎて運動時における変形が大きくなり、不安定になって使いにくいからである。また、１００ｋＰａを越えると、運動時における凹みが小さく、足腰に対する負担が大きくなりすぎるからである。
また、緩衝材４は、独立気泡型あるいは連続気泡型のいずれであってもよいが、耐水性，衝撃吸収性の見地よりすれば、独立気泡型の樹脂発泡材が好ましい。
なお、圧縮硬さとは、ＪＩＳＫ６７６７に準じて測定される２５％圧縮時の単位面積当たりの荷重値を意味する。
【００２３】
さらに、緩衝材４は、使用時の衝撃力によって圧縮された状態であっても、枠体３の下面が床面に接触することなく、異音を発生せず、床面を傷付けないとともに、枠体の変形，破損を防止できる高さ寸法を必要とする。例えば、板状の緩衝材が厚さ２１ｍｍ、圧縮硬さ５５ｋＰａのポリオレフィン樹脂発泡体であれば、枠体の下面から６ｍｍ程度、突出していることが好ましい。
【００２４】
そして、基板２と緩衝材４とは、それぞれが有する曲げ弾性係数や圧縮硬さを勘案して厚さを適宜、選択してもよい。例えば、基板２が６００×９００ｍｍ、板状の発泡樹脂製緩衝材４が５５４×８５４ｍｍである場合に、基板２の曲げ弾性率が２ＧＰａであり、緩衝材４の圧縮硬さが５０ｋＰａであれば、基板２の厚さ寸法に対し、緩衝材４の厚さ寸法を４倍程度にすればよい。
すなわち、基板２の厚さ寸法が５．５ｍｍであれば、緩衝材４の厚さ寸法は２１ｍｍとした場合に、重量床衝撃音や軽量衝撃音に対する遮音効果が有効に発揮され、好ましい緩衝効果が得られる。
【００２５】
一方、緩衝材４は、板状材に限らず、帯状材を図２Ａに示す第２実施形態のように環状、あるいは、図２Ｂに示す第３実施形態のように矩形板状材を市松模様に全体にバランスよく所定のピッチで配置してもよい。
【００２６】
また、緩衝材４は、図２Ｃ，２Ｄに示す第４，第５実施形態のように、基板２の裏面に横長あるいは縦長に所定のピッチで平行に並設しておいてもよい。
【００２７】
さらに、緩衝材４は断面が内実なものに限らず、図３Ｄ，図３Ｅに示す第６，第７実施形態のように、断面円形あるいは半円形の筒状緩衝材４を、図３Ａないし図３Ｃに示すように、基板２の裏面に横長あるいは縦長に所定のピッチで平行に並設してもよい。
【００２８】
そして、緩衝材４は長尺なものに限らず、図４Ａ，図４Ｂに示す第８，第９実施形態のように、ブロック状の緩衝材４を基板２の裏面に格子状あるいは千鳥状に全体にバランス良く所定のピッチで設置してもよい。
ブロック状の緩衝材４としては、例えば、図４Ｃ〜４Ｅに図示するように、略三角形の空洞部４ａを有するとともに、その上面に取付孔４ｂを有する一方、その下面隅部に支持突起４ｃを突設したものでもよい。また、他のブロック状の緩衝材４としては、図４Ｆに図示するように、円錐台形状のものであってもよい。
【００２９】
また、本願発明に係る運動用敷設板１は、図５に図示する第１０実施形態のように、基板２の裏面と緩衝材４との間に衝撃音低減材５を配置しておいてもよい。
前記衝撃音低減材５は、運動時に発生する衝撃音を低減させる材料からなり、形状は一様な厚さを有する板状体が好ましく、例えば、木質繊維板、軟質ゴム板、軟質樹脂板等が挙げられ、特に、比重の低いインシュレーションボードは軽量で断熱性に優れ、有用である。また、前記衝撃音低減材５を基板２の裏面と緩衝材４との間に配置することにより、衝撃音を低減できるだけでなく、運動時（使用時）の変形をも緩和でき、より安定して使いやすくなる。
なお、本実施形態に係る緩衝材４は、図５Ｃに図示するように、円筒形の外周面に取付用突条４ｄを突設したものである。
【００３０】
また、前記基板２および枠体３の露出面には、化粧シート、軟質クッションシート、突板等を貼着一体化し、あるいは、エンボス加工を施して化粧性を持たせてもよい。
【００３１】
そして、安全性を確保するため、基板２，枠体３の外周面角部にアール面加工を施しておくことが好ましい。
【００３２】
次に、前述の運動用敷設板１を連結して敷設する場合には、図６に図示するように、突き合わせた運動用敷設板１，１の枠体３のうち、対向する位置に連結孔６，６をそれぞれ設ける。そして、前記連結孔６，６に断面略コ字形状の連結具１０の端部１１をそれぞれ嵌合して連結一体化してもよい。
【００３３】
また、図７に図示するように、突き合わせた運動用敷設板１，１の枠体３，３のうち、一方の裏面角部に、連結金具１２の軸部１３を回動可能に取り付ける一方、他方の裏面角部に、前記連結金具１２の係合用凹部１４に係合する係合ピン１５を取り付ける。そして、前記連結金具１２を介して突き合わせた前記運動用敷設板１，１を連結する。
本実施形態によれば、運動用敷設板１の裏面角部に運動用敷設板１を配置するので、外部から操作しやすく、連結作業が容易な運動用敷設板１を得られるという利点がある。
【００３４】
なお、前述の連結具１０および連結金具１２を併用して運動用敷設板１を連結してもよいことは勿論である。
（実施例）
【実施例１】
【００３５】
基板として厚さ５．５ｍｍ、密度０．７ｇ／ｃｍ３のＭＤＦの裏面周辺縁部に、枠体として１５ｍｍ角、密度０．７ｇ／ｃｍ３のＭＤＦを、酢酸ビニル系接着剤で固定するとともに、露出する側端面に厚さ２ｍｍのエッジ材を貼り合わせた。一方、前記基板の残る裏面に、緩衝材として厚さ２１ｍｍ、見掛け密度３５ｋｇ／ｍ３、圧縮硬さ５５ｋＰａのポリエチレン樹脂発泡体を敷設することにより、巾６００ｍｍ、長さ９００ｍｍの矩形の運動用敷設板を得た。
【実施例２】
【００３６】
基板として厚さ５．５ｍｍ、密度０．７ｇ／ｃｍ３の化粧シートを貼ったＭＤＦの裏面周辺縁部に、枠体として１５ｍｍ角、密度０．７ｇ／ｃｍ３のＭＤＦを、酢酸ビニル系接着剤で固定するとともに、露出する側端面に厚さ２ｍｍのエッジ材を貼り合わせた。一方、前記基板の残る裏面に、衝撃音低減材として厚さ１５ｍｍ、密度０．２５／ｃｍ３のインシュレーションボードを敷設した。さらに、前記衝撃音低減材の露出面に、緩衝材として厚さ２１ｍｍ、見掛け密度３５ｋｇ／ｍ３、圧縮硬さ５５ｋＰａのポリエチレン樹脂発泡体を敷設することにより、巾６００ｍｍ、長さ９００ｍｍの矩形の運動用敷設板を得た。
【実施例３】
【００３７】
図５に図示したように、基板として厚さ５．５ｍｍ、密度０．７ｇ／ｃｍ３の化粧シートを貼ったＭＤＦの裏面周辺縁部に、枠体として１５ｍｍ角、密度０．７ｇ／ｃｍ３のＭＤＦを、酢酸ビニル系接着剤で固定するとともに、露出する側端面に厚さ２ｍｍのエッジ材を貼り合わせた。一方、前記基板の残る裏面に、衝撃音低減材として厚さ１５ｍｍ、密度０．２５／ｃｍ３のインシュレーションボードを敷設した。さらに、前記衝撃音低減材の露出面および枠体に、外径２０ｍｍ、内径１５ｍｍ、外周面に沿って突設した取付用突条を有する軟質ＰＶチューブからなる緩衝材を嵌め込むことにより、巾６００ｍｍ、長さ９００ｍｍの矩形の運動用敷設板を得た。
【実施例４】
【００３８】
基板として厚さ５．５ｍｍ、密度０．７ｇ／ｃｍ３の化粧シートを貼ったＭＤＦの裏面周辺縁部に、枠体として１５ｍｍ角、密度０．７ｇ／ｃｍ３のＭＤＦを、酢酸ビニル系接着剤で固定した。一方、前記基板の残る裏面に、緩衝材として高さ２１ｍｍ、巾３０ｍｍ、長さ３０ｍｍ、肉厚５ｍｍ、硬度６５の断面Ｄ型の中空ゴムブロックを、両面テープを介し、図４Ｂで示すように、横ピッチ１７６ｍｍ、縦ピッチ１４５ｍｍの千鳥状に設置した。
【比較例】
【００３９】
基板として厚さ５．５ｍｍ、密度０．７ｇ／ｃｍ３の化粧シートを貼ったＭＤＦの裏面周辺縁部に、枠体として２６ｍｍ角、密度０．７ｇ／ｃｍ３のＭＤＦを、酢酸ビニル系接着剤で固定するとともに、露出する側端面に厚さ２ｍｍのエッジ材を貼り合わせた。一方、前記基板の残る裏面に、緩衝材として厚さ２１ｍｍ、見掛け密度３５ｋｇ／ｍ３、圧縮硬さ５５ｋＰａのポリエチレン樹脂発泡体を敷設することにより、巾６００ｍｍ、長さ９００ｍｍの矩形の運動用敷設板を得た。
【００４０】
試験用床面に、実施例１を設置した場合と、設置しなかった場合とについてＪＩＳＡ１４１８に準じた軽量床衝撃試験および重量床衝撃音試験を行い、衝撃音を測定した。測定結果を下記に示す。
軽量床衝撃音            重量床衝撃音
実施例１を設置した場合            ＬＬ−５５〜６０        ＬＨ−５０
実施例１を設置しなかった場合      ＬＬ−８０              ＬＨ−５５
以上の測定結果より、本願発明に係る運動用敷設板を設置すれば、床衝撃音を低減できることが判った。
【００４１】
次に、実施例１〜４の運動用敷設板の上面で試験者が飛び跳ねる運動を試みたが、異音の発生はなく、大きな衝撃音も発生せず、快適に運動できることを確認できた。
一方、比較例の運動用敷設板の上面で試験者が飛び跳ねる運動を試みたところ、枠体が床面に直接接触するため、不快な異音が発生することを確認できた。
【産業上の利用可能性】
【００４２】
本願発明に係る運動用敷設板は、
【符号の説明】
【００４３】
１：運動用敷設板
２：基板
３：枠体
４：緩衝材
５：衝撃音低減材
６：連結孔
１０：連結具
１１：端部
１２：連結金具
１３：回動軸
１４：係合用凹部
１５：連結ピン
【図４】
2011183111.tif 000003
【図５】
2011183111.tif 000004
【図６】
2011183111.tif 000005
【図７】
2011183111.tif 000006
【図１】
2011183111.tif 000007
【図２】
2011183111.tif 000008
【図３】
2011183111.tif 000009